(57)【要約】【課題】複写牽制模様の多重印刷を回避可能な画像形成装置を提供する。【解決手段】入力された画像データに複写牽制模様が付加されているか否かを検出し、当該検出の結果、入力された画像データに複写牽制模様が付加されている場合は、当該複写牽制模様を除去し、複写牽制模様を除去した後の画像データに対して、新たに複写牽制模様を付加する画像形成装置である。【選択図】図１
2008312261.tif 000002
【特許請求の範囲】
【請求項１】
入力された画像データに複写牽制模様が付加されているか否かを検出する検出手段と、
当該検出の結果、入力された画像データに複写牽制模様が付加されている場合は、当該複写牽制模様を除去し、前記複写牽制模様を除去した後の画像データに対して、新たに複写牽制模様を付加する複写牽制模様置換手段と、
を含むことを特徴とする画像形成装置。
【請求項２】
各複写牽制模様にはそれぞれ優先順位の情報が設定されており、
前記複写牽制模様置換手段は、当該検出の結果、入力された画像データに複写牽制模様が付加されている場合に、当該付加されている複写牽制模様に設定された優先順位と、前記新たに付加する複写牽制模様に設定された優先順位との比較に基づいて、当該複写牽制模様を除去するか否かを決定し、除去すると決定したときには、前記付加されている複写牽制模様を除去した後の画像データに対して、新たに複写牽制模様を付加する
請求項１記載の画像形成装置。
【請求項３】
複写牽制模様を記憶する記憶手段をさらに備え、
前記複写模様置換手段は、前記記憶手段に記憶されている複写牽制模様を、新たに付加する複写牽制模様として、画像データに付加することを特徴とする請求項１または２に記載の画像形成装置。
【請求項４】
コンピュータを、
入力された画像データに複写牽制模様が付加されているか否かを検出する検出手段と、
当該検出の結果、入力された画像データに複写牽制模様が付加されている場合は、当該複写牽制模様を除去し、前記複写牽制模様を除去した後の画像データに対して、新たに複写牽制模様を付加する複写牽制模様置換手段と、
として機能させることを特徴とするプログラム。
【発明の詳細な説明】
【技術分野】
【０００１】
本発明は、複写牽制模様を合成する処理を行う機能を備えた画像形成装置に関する。
【背景技術】
【０００２】
近年、ドキュメントのセキュリティに関する意識の高まりから、プリンタ等の画像形成装置で形成するドキュメントに複写牽制模様を付加する技術が開発されている（例えば特許文献１）。具体的に、特許文献１に開示の技術では、旧来予め複写牽制模様を印刷した専用用紙を用いていたのに代えて、普通紙上に複写牽制模様を含む画像データを形成することを可能としている。
【０００３】
この複写牽制模様には、孤立ドットからなり、複写時に消失する消失部分と、消失部分の孤立ドットと全体的には濃度が略均一となるように濃度調整された画素塊群からなり、複写時にも消失しない潜像部分と、これら消失部分並びに潜像部分の濃度差が目立たないようにこれらに重ね合わせて合成されるカモフラージュ模様部分と、を含む。
【０００４】
例えば、孤立ドットからなる消失部分を用いて「ＣＯＰＹ」なる文字を形成し、その背景として潜像部分を形成しておけば、印刷結果としては薄いグレーの背景として視認されるものの、一旦複写すると「ＣＯＰＹ」の文字が白く浮き上るようになる。
【０００５】
従来、こうした複写牽制模様の付加を行う機能は、パーソナルコンピュータなどの画像処理装置側に設けられており、プリンタの側では特別な処理を行うことなく複写牽制模様の印刷を実現できるようにしていた。
【０００６】
しかし最近、パーソナルコンピュータ側で処理を行わずにプリンタ側で複写牽制模様を付加させる機能も要望されており、実際にその要望に応えた製品も開発されてきている。
【特許文献１】特開２００２−２６２０５５号公報
【発明の開示】
【発明が解決しようとする課題】
【０００７】
しかしながら、上記従来のパーソナルコンピュータを用いた複写牽制模様を付加する処理と、プリンタ側で複写牽制模様を付加する処理とによっては、次のような場合に問題となる。すなわち、パーソナルコンピュータ側で既に複写牽制模様が付加されているのに、プリンタ側でもさらに複写牽制模様を付加したのでは、複写牽制模様が二重に印刷される結果となり、ドキュメントの内容も見にくくなるだけでなく、複写牽制模様の効果も低くなってしまう。
【０００８】
本発明は上記実情に鑑みて為されたもので、複写牽制模様の多重印刷を回避可能な画像形成装置を提供することを、その目的の一つとする。
【課題を解決するための手段】
【０００９】
請求項１記載の発明は、画像形成装置であって、入力された画像データに複写牽制模様が付加されているか否かを検出する検出手段と、当該検出の結果、入力された画像データに複写牽制模様が付加されている場合は、当該複写牽制模様を除去し、前記複写牽制模様を除去した後の画像データに対して、新たに複写牽制模様を付加する複写牽制模様置換手段と、を含むこととしたものである。
【００１０】
また、請求項２記載の発明は、請求項１記載の画像形成装置であって、前記複写牽制模様置換手段が、当該検出の結果、入力された画像データに複写牽制模様が付加されている場合に、当該付加されている複写牽制模様に設定された優先順位と、前記新たに付加する複写牽制模様に設定された優先順位との比較に基づいて、当該複写牽制模様を除去するか否かを決定し、除去すると決定したときには、前記付加されている複写牽制模様を除去した後の画像データに対して、新たに複写牽制模様を付加することとしたものである。
【００１１】
さらに、請求項３記載の発明は、請求項１または２記載の画像形成装置であって、複写牽制模様を記憶する記憶手段をさらに備え、前記複写模様置換手段は、前記記憶手段に記憶されている複写牽制模様を、新たに付加する複写牽制模様として、画像データに付加することとしたものである。
【００１２】
また、請求項４記載の発明は、プログラムであって、コンピュータを、入力された画像データに複写牽制模様が付加されているか否かを検出する検出手段と、当該検出の結果、入力された画像データに複写牽制模様が付加されている場合は、当該複写牽制模様を除去し、前記複写牽制模様を除去した後の画像データに対して、新たに複写牽制模様を付加する複写牽制模様置換手段と、として機能させることとしたものである。
【発明を実施するための最良の形態】
【００１３】
本発明の第１の実施の形態について図面を参照しながら説明する。本実施の形態に係る画像処理システムは、送信側装置（画像処理装置）としてのパーソナルコンピュータ（以下ＰＣと略称する）１と、受信側装置（画像形成装置）としてのプリンタ２とを含んで構成される。なお、画像形成装置としては、プリンタのほか、複合機等であってもよい。
【００１４】
ＰＣ１は、制御部１１と記憶部１２と操作部１３と表示部１４と外部インタフェース（外部Ｉ／Ｆ）１５とを含む。また、プリンタ２は、制御部２１と記憶部２２と画像形成部２３と外部インタフェース（Ｉ／Ｆ）２４とを含む。
【００１５】
ＰＣ１の制御部１１は、記憶部１２に格納されているプログラムに従って動作しており、形成の対象となった画像データに対して利用者の指示により複写牽制模様を合成する処理と、画像データを外部インタフェース１５を介してプリンタ２に送信する処理とを行っている。記憶部１２は、半導体メモリやディスク装置を含み、制御部１１によって実行されるプログラムを保持する。また、この記憶部１２は、制御部１１のワークメモリとしても動作する。
【００１６】
操作部１３は、キーボードやマウス等であり、利用者の指示操作を受け入れて制御部１１に出力している。表示部１４は、制御部１１から入力される指示に従って情報を利用者に提示する。外部インタフェース１５は、例えばＵＳＢ（Universal Serial Bus）インタフェースであり、制御部１１から入力される指示に従って画像データ等のデータをプリンタ２へ送信する。
【００１７】
このＰＣ１側からプリンタ２へと送信される画像データは、所定のＰＤＬ（Page Description Language）を用いて記述されている。具体的にここでは、画像データは、物理ページ（用紙１枚に形成されるべき画像データ全体）ごとに、少なくとも一つの論理ページ（ドキュメントのページ）を含み、１つの物理ページごとに複写牽制模様が１つ割当可能になっているものとする（図２）。図２の例では、物理ページの終了符号（showpage）の直前に、ビットマップイメージ（imageオペレータとそれに引続くデータ列）が挿入されている。またこの複写牽制模様は、予め定められた文字列（複写牽制模様部分を特定するコメント文字列（図２の（Ｘ））など）とともに記述されてもよいし、論理ページの終了を表す文字列（図２の（Ｙ））の後に記述されてもよい。
【００１８】
プリンタ２の制御部２１は、記憶部２２に格納されているプログラムに従って動作し、後に説明する種々の処理を遂行している。記憶部２２は、制御部２１によって実行されるプログラムを保持するメモリ等を含む。この記憶部２２は、また制御部２１がその処理中に生成する種々のデータを保持するワークメモリとしても動作する。
【００１９】
画像形成部２３は、制御部２１から入力される指示に従って用紙などの記録媒体上に画像を形成する、いわゆるプリンタエンジン部である。外部インタフェース２４は、例えばＵＳＢインタフェースなどであり、ＰＣ１の外部インタフェース１５に接続されており、ＰＣ１側から画像データ等のデータを受信して、その入力を受け入れ、制御部２１に出力する。
【００２０】
プリンタ２の記憶部２２に格納され、制御部２１によって実行されるプログラムは、機能的には図３に示すように、複写牽制模様検出部３１と、複写牽制模様付加制御部３２と、複写牽制模様設定部３３と、複写牽制模様合成部３４とを含む。
【００２１】
複写牽制模様検出部３１は、入力された画像データに複写牽制模様が含まれるか否かを調べる。具体的にこの複写牽制模様検出部３１は、ＰＤＬで記述された画像データのうち、複写牽制模様に相当する記述（例えば複写牽制模様部分を特定するコメント文字列で囲まれた記述）があるか否かを調べることになる。図２に示した具体例では、複写牽制模様部分を特定する文字列である、「%begin_wm_image」から「%end_wm_image」までが複写牽制模様の記述として見いだされ、検出されることとなる。
【００２２】
複写牽制模様付加制御部３２は、複写牽制模様検出部３１による検出結果に基づき、画像データに複写牽制模様を付加するか否かを決定し、その決定の結果を出力する。すなわち、この複写牽制模様付加制御部３２は、入力された画像データから複写牽制模様に係る記述が見いだされたときには複写牽制模様を付加しないと決定し、入力された画像データから複写牽制模様に係る記述が見いだされなかったときには複写牽制模様を付加すると決定する。複写牽制模様付加制御部３２は、この決定の結果を表すフラグを記憶部２２に格納する。
【００２３】
複写牽制模様設定部３３は、複写牽制模様付加制御部３２の決定結果（例えばそれを表すフラグ）を参照し、複写牽制模様を付加すると決定されているときには、記憶部２２に予め格納されている複写牽制模様のビットマップデータを読み出して、複写牽制模様合成部３４に出力する。複写牽制模様合成部３４は、複写牽制模様設定部３３が複写牽制模様のビットマップデータを出力するときには、当該ビットマップデータを入力された画像データに合成して画像形成部２３に出力する。また、この複写牽制模様合成部３４は、複写牽制模様設定部３３が複写牽制模様のビットマップデータを出力しないときには、入力された画像データをそのまま画像形成部２３に出力する。
【００２４】
これにより、画像データ内に複写牽制模様を表す記述が含まれている場合は、当該画像データがそのまま画像形成部２３に出力されて画像形成が行われ、画像データ内に複写牽制模様を表す記述が含まれていない場合は、当該画像データに複写牽制模様が合成され、当該合成後の画像データが記録媒体上に形成される。
【００２５】
なお、ここでは複写牽制模様付加制御部３２は、複写牽制模様検出部３１による検出結果に基づいて複写牽制模様を付加するか否かを決定していたが、利用者から事前に入力された設定の内容（ＰＣ１側から受信される設定情報に基づく内容や、プリンタ２側の操作パネル（不図示）などで行われた設定の内容）により、複写牽制模様を合成しない設定となっているときには、上記検出結果に関わらず、複写牽制模様を付加しないものと決定してもよい。
【００２６】
また、ここでは複写牽制模様が既に画像データに付加されている場合に、プリンタ２側でさらに複写牽制模様を付加しないよう制御することとしていたが、これに代えて、複写牽制模様が既に画像データに付加されている場合には、付加されている複写牽制模様を除去して、新たな複写牽制模様を付加する、複写牽制模様の置換処理を行ってもよい。
【００２７】
すなわちこの場合は、複写牽制模様付加制御部３２が、複写牽制模様検出部３１により複写牽制模様が検出された場合は、当該画像データから複写牽制模様を除去する処理を行う。具体的に図２に示した画像データであれば、複写牽制模様の記述部分を特定する文字列である「%begin_wm_image」から「%end_wm_image」までを画像データ内から除去する。
【００２８】
そして複写牽制模様設定部３３が、記憶部２２に予め格納されている複写牽制模様のビットマップデータを読み出して、複写牽制模様合成部３４に出力し、複写牽制模様合成部３４が、当該ビットマップデータを入力された画像データに合成して画像形成部２３に出力することとすればよい。
【００２９】
さらに、この場合において、複写牽制模様付加制御部３２は、入力された画像データに付加されている（ＰＣ１側で付加された）複写牽制模様をそのまま用いるか、あるいはこれを除去してプリンタ２側で新たに複写牽制模様を付加するかを、所定の条件に基づいて選択してもよい。この所定の条件としては、例えば各複写牽制模様に優先順位情報を設定しておき、優先順位情報により、既に付加されている複写牽制模様の優先順位が、プリンタ２側の複写牽制模様の優先順位よりも高い場合には、付加されている複写牽制模様を除去せずに、画像データをそのまま画像形成部２３に出力する。また、既に付加されている複写牽制模様の優先順位が、プリンタ２側の複写牽制模様の優先順位よりも以下である場合には、当該画像データから複写牽制模様を除去し、複写牽制模様設定部３３と複写牽制模様合成部３４とにより新たに複写牽制模様を付加する。
【００３０】
ここでＰＣ１側では、複写牽制模様を付加する際に、その優先順位情報を画像データ中に（コメント等として）記述しておく。この優先順位情報は、利用者から入力された文字列を含むか否かによって変更してもよい。
【００３１】
また、ここでは複写牽制模様を合成するか否かを決定することとしているが、ＰＣ１側で複写牽制模様が付加されている場合は、画像形成処理を中断したり、ドキュメントのデータを不可読な状態（ベタ塗りなどを上書するなど）としてもよい。
【００３２】
次に、本発明の第２の実施の形態に係る画像処理システムについて説明する。本実施の画像処理システムは、図１に示した第１の実施の形態に係る画像処理システムと同様の構成を有するものであるが、ＰＣ１やプリンタ２における各処理が異なる。
【００３３】
本実施の形態のＰＣ１の制御部１１は、形成の対象となった画像データを送信する際に、プリンタ２に対して複写牽制模様を合成する設定となっているか否かを問い合せる信号を外部インタフェース１５を介して送出し、当該設定に係る情報を取得して、当該取得した情報に基づいて複写牽制模様を付加するか否かを決定する処理を行う。そしてＰＣ１の制御部１１は、複写牽制模様を付加すると決定したときには、別途生成した複写牽制模様（この複写牽制模様の生成方法については、特許文献１に開示された方法を用いることができるので、その詳細な説明を省略する）を画像データに付加して、プリンタ２へ送出する。
【００３４】
またプリンタ２の制御部２１は、ＰＣ１側から外部インタフェース２４を介して複写牽制模様を合成する設定となっているか否かを問い合せる信号を受信すると、複写牽制模様の合成に係る設定内容を送出する。また、この問い合せを受けたプリンタ２が複写牽制模様の合成機能を有していない場合は、エラーを表す信号等を送出するようにしてもよい。
【００３５】
さらにここでは、プリンタ２において複写牽制模様を合成する設定となっているか否かを調べることとしていたが、これに代えて、制御部１１は、プリンタ２側で合成されるべき複写牽制模様のデータを取得するようにしてもよい。この場合、プリンタ２は、ＰＣ１側から複写牽制模様のデータを要求する指示を受信すると、複写牽制模様のビットマップデータをＰＣ１側へ提供する。そしてＰＣ１の制御部１１は、この取得した複写牽制模様のビットマップデータを画像データに付加して、プリンタ２へと送出する。
【００３６】
なお、本実施形態においても、プリンタ２の制御部２１は、第１の実施の形態におけるのと同様、ＰＣ１側から受信され、入力された画像データに複写牽制模様が含まれているか否かを調べ、複写牽制模様が含まれている場合とそうでないときとで、複写牽制模様の合成に係る処理の内容を変更してもよい。つまり、入力された画像データに複写牽制模様が含まれていれば、複写牽制模様を合成しないよう制御してもよいし、当該含まれている複写牽制模様を除去して新たな複写牽制模様を合成することとしてもよい。また入力された画像データに複写牽制模様が含まれていなければ、入力された画像データに複写牽制模様を合成する処理を実行するようにしてもよい。
【００３７】
また本実施の形態において、プリンタ２の制御部２１は、ＰＣ１側に複写牽制模様のビットマップデータ（複写牽制模様の画像データ）を提供したときには、その後にＰＣ１から入力される画像データに複写牽制模様が合成されているものとして、複写牽制模様を合成しないよう制御してもよい。
【００３８】
このように本発明の第１、第２の実施の形態に係る画像処理システムによれば、画像処理装置としてのＰＣ１側又は、画像形成装置としてのプリンタ２側の少なくとも一方において、相手方での複写牽制模様の付加が行われるか否かを判断して、複写牽制模様を付加するか否かを制御するので、複写牽制模様が多重に合成されることを防止でき、ドキュメントの視認性を維持し、複写牽制模様の効果を発揮させることができる。
【００３９】
なお、ここまでの第１、第２の実施形態の説明ではＰＣ１とプリンタ２との間をＵＳＢ等のインタフェースで接続している例を述べたが、これに限らず、これらの間をネットワークを介して接続してもよい。
【００４０】
また、ＰＣ１側から提供される画像データに複写牽制模様が含まれる態様は、ここまでの説明のものに限られず、例えば複写牽制模様に関するプレーンを合成する指示として含まれるものであっても構わないし、複写牽制模様をフォームとして、当該フォームを重ね合わせる指示として含まれるものであってもよい。
【図面の簡単な説明】
【００４１】
【図１】本発明の実施の形態に係る画像処理システムの一例を表す構成ブロック図である。
【図２】ＰＣ１が出力する画像データの内容の例を表す概要説明図である。
【図３】本発明の実施の形態に係るプリンタの制御部によって実行されるプログラムの内容例を表す機能ブロック図である。
【符号の説明】
【００４２】
１ パーソナルコンピュータ、２ プリンタ、１１，２１ 制御部、１２，２２ 記憶部、１３ 操作部、１４ 表示部、１５，２４
外部インタフェース、２３ 画像形成部。
【図１】
2008312261.tif 000003
【図２】
2008312261.tif 000004
【図３】
2008312261.tif 000005